(57)【要約】【課題】  簡易な構成で、不正行為を防ぐことを容易とする遊技機における施錠装置を提供する。【解決手段】施錠装置１７の外郭を形成する支持体１８には、外枠作動体３１が上下動可能に設けられている。その外枠作動体３１の上下両端部にはそれぞれ外枠鉤４１が回動可能に設けられている。更に、支持体１８の上下両端部には支持突部２５が一体で設けられ、その第１支持辺２６ａは施錠位置に配置される係合凹所４５の内奥辺４５ｃと前記外枠係合金具との中間に位置するように配置されている。そのため、前記内奥辺４５ｃの上方から当該内奥辺４５ｃに向けて挿入された針金のフックが、内奥辺４５ｃに到達する前に支持突部２５の第１支持辺２６ａに引っ掛かるようになっている。【選択図】      図１
2005207150.tif 000002
【特許請求の範囲】
【請求項１】
外枠と、外枠の前面に開閉可能に支持される前枠とを備える遊技機の前記前枠に取着され、前枠を外枠に施錠するために設けられる遊技機における施錠装置であって、
前記前枠に固定される支持体と、該支持体に支持され、前枠を外枠に施錠すべく当該外枠の係合部に係合する外枠鉤を備えた作動体と、前記支持体に設けられ、前記外枠鉤を側方から支持する支持突部と、前記外枠鉤の解錠操作を行う錠部材とを有し、
前記外枠鉤は、その一側部に開口する係合凹所が前記係合部の一端部に係合して前枠の開放が規制される施錠位置と、前記係合部と係合凹所との係合が解除されて前枠の開放が許容される解錠位置とに配置され、
前記支持突部は、前記外枠鉤の先端に向けて延設されるとともに、その一側部が前記施錠位置に配置される係合凹所の内奥辺の側方に位置するように構成されていることを特徴とする遊技機における施錠装置。
【請求項２】
前記解錠位置に配置される係合凹所の内奥辺と前記係合部との中間には前記支持突部の一側部が配置されていることを特徴とする請求項１に記載の遊技機における施錠装置。
【請求項３】
前記支持突部の一側部は、前記施錠位置に配置される係合凹所の内奥辺と前記係合部との中間に配置されていることを特徴とする請求項１又は請求項２に記載の遊技機における施錠装置。
【請求項４】
前記施錠位置に配置される係合凹所の内奥辺は、前記支持突部の一側部と前記係合部との中間に配置されるとともに、前記施錠位置に配置される係合凹所の内奥辺と前記支持突部の一側部との間隔は、前記係合凹所と前記係合部とが当接する当接部位の長さ未満に設定されていることを特徴とする請求項１又は請求項２に記載の遊技機における施錠装置。
【請求項５】
前記係合凹所よりも先端側に位置する外枠鉤の一側部には先端側ほど外枠鉤の他側部側に近接するように形成された斜辺が設けられ、当該斜辺は中央部が外方へ膨らむように湾曲した側面円弧状に形成されていることを特徴とする請求項１から請求項４のいずれか一項に記載の遊技機における施錠装置。
【請求項６】
前記支持突部の一側部は、前記施錠位置に配置される係合凹所の内奥辺及び該内奥辺よりも基端側の外枠鉤の一側部に沿うように配置されていることを特徴とする請求項１から請求項５のいずれか一項に記載の遊技機における施錠装置。
【発明の詳細な説明】
【技術分野】
【０００１】
本発明は、パチンコ遊技機等の遊技機において、遊技盤が設けられた前枠を外枠に施錠するための遊技機における施錠装置に関するものである。
【背景技術】
【０００２】
従来より、遊技機の一種であるパチンコ遊技機は、その外郭が縦長四角枠状をなす外枠と、外枠に開閉可能に支持される前枠と、前枠の内側に保持される遊技盤とから構成されている。前枠の前面には、四角板状をなすガラス扉が開閉可能に支持され、パチンコ遊技機前面から遊技盤が視認可能となっている。前枠の一側には施錠装置が装着され、外枠に対して前枠を施錠できるとともに、前枠に対してガラス扉を施錠できるようになっている（例えば、特許文献１参照。）。
【０００３】
この種の遊技機における施錠装置は、前枠に固定される支持体を備え、その支持体には、鍵によって回転操作可能なシリンダ錠が設けられている。このシリンダ錠には略Ｖ字状をなすカム板が錠軸により回転可能に取り付けられている。カム板は、シリンダ錠に差し込まれた鍵の回転方向と同一方向に回転するようになっている。また、支持体には、シリンダ錠の解錠操作によって所定方向にスライドする外枠作動体、該外枠作動体のスライドに伴って回動する外枠用鉤部等が備えられている。
【０００４】
更に、前記支持体に固着された取付支持部材には、前枠の施錠時に不正部材による外枠作動体の不正操作によって前枠が不正に解錠されるのを防止するためのロック体が揺動可能に取着されている。加えて、ロック体には当接体が揺動可能に取着され、この当接体の揺動に伴ってロック体が前記外枠作動体に近づく方向へ回動するようになっている。
【０００５】
そして、前枠を閉止方向に回転させると、当接体が外枠段部により押圧され、外枠作動体側へ揺動する。すると、当接体の揺動に伴ってロック体が外枠作動体側へ回動する。その結果、前枠が外枠に施錠されたときには、ロック体の係合凹所と外枠作動体の係合曲げ部とが係合し、該外枠作動体の下方への移動が規制される。これにより、施錠装置の施錠状態では、パチンコ遊技機の上方や側面等に存在する隙間から針金等の不正部材で上部鉤部及び下部鉤部を操作することができず、前枠の不正開錠を防ぐことができる。
【特許文献１】特開２００３−３２１９５９号公報
【発明の開示】
【発明が解決しようとする課題】
【０００６】
ところが、上記従来の施錠装置では、外枠に対する前枠の不正開錠を防ぐために、前枠の閉止方向への回動に際して、外枠と当接体との当接を介してロック体を外枠作動体側へ押圧し、ロック体の係合凹所を所定位置（外枠作動体の係合曲げ部の対向位置）に配置するように構成されている。そのため、不正行為を防ぐことを目的とした構成が複雑となっていた。
【０００７】
本発明は、このような従来技術に存在する問題点に着目してなされたものである。その目的とするところは、簡易な構成で、不正行為を防ぐことを容易とする遊技機における施錠装置を提供することにある。
【課題を解決するための手段】
【０００８】
上記の目的を達成するために、請求項１に記載の発明の遊技機における施錠装置は、外枠と、外枠の前面に開閉可能に支持される前枠とを備える遊技機の前記前枠に取着され、前枠を外枠に施錠するために設けられる遊技機における施錠装置であって、前記前枠に固定される支持体と、該支持体に支持され、前枠を外枠に施錠すべく当該外枠の係合部に係合する外枠鉤を備えた作動体と、前記支持体に設けられ、前記外枠鉤を側方から支持する支持突部と、前記外枠鉤の解錠操作を行う錠部材とを有し、前記外枠鉤は、その一側部に開口する係合凹所が前記係合部の一端部に係合して前枠の開放が規制される施錠位置と、前記係合部と係合凹所との係合が解除されて前枠の開放が許容される解錠位置とに配置され、前記支持突部は、前記外枠鉤の先端に向けて延設されるとともに、その一側部が前記施錠位置に配置される係合凹所の内奥辺の側方に位置するように構成されていることを要旨とする。
【０００９】
請求項２に記載の発明の遊技機における施錠装置は、請求項１に記載の発明において、前記解錠位置に配置される係合凹所の内奥辺と前記係合部との中間には前記支持突部の一側部が配置されていることを要旨とする。
【００１０】
請求項３に記載の発明の遊技機における施錠装置は、請求項１又は請求項２に記載の発明において、前記支持突部の一側部は、前記施錠位置に配置される係合凹所の内奥辺と前記係合部との中間に配置されていることを要旨とする。
【００１１】
請求項４に記載の発明の遊技機における施錠装置は、請求項１又は請求項２に記載の発明において、前記施錠位置に配置される係合凹所の内奥辺は、前記支持突部の一側部と前記係合部との中間に配置されるとともに、前記施錠位置に配置される係合凹所の内奥辺と前記支持突部の一側部との間隔は、前記係合凹所と前記係合部とが当接する当接部位の長さ未満に設定されていることを要旨とする。
【００１２】
請求項５に記載の発明の遊技機における施錠装置は、請求項１から請求項４のいずれか一項に記載の発明において、前記係合凹所よりも先端側に位置する外枠鉤の一側部には先端側ほど外枠鉤の他側部側に近接するように形成された斜辺が設けられ、当該斜辺は中央部が外方へ膨らむように湾曲した側面円弧状に形成されていることを要旨とする。
【００１３】
請求項６に記載の発明の遊技機における施錠装置は、請求項１から請求項５のいずれか一項に記載の発明において、前記支持突部の一側部は、前記施錠位置に配置される係合凹所の内奥辺及び該内奥辺よりも基端側の外枠鉤の一側部に沿うように配置されていることを要旨とする。
【発明の効果】
【００１４】
以上詳述したように、本発明によれば、簡易な構成で、不正行為を防ぐことを容易とする。
【発明を実施するための最良の形態】
【００１５】
以下、この発明を具体化した実施形態を図面に基づいて詳細に説明する。
（第１実施形態）
図５及び図６に示すように遊技機の一種であるパチンコ遊技機１１は、その外郭が縦長四角枠状をなす外枠１２により形成され、この外枠１２の左側部には、四角枠状をなす前枠１３が開閉可能に支持されている。また、図５で破線に示すように、外枠１２の右側部の内面には上下一対の係合部としての外枠係合金具Ｋが設けられ、それら外枠係合金具Ｋは前枠１３を外枠１２に施錠するために外枠１２に設けられている。前記前枠１３には図示しない打球発射装置、球皿等のパチンコゲームを展開可能とする遊技構成部材が搭載されるとともに、前枠１３の内側には遊技盤１４が保持されている。
【００１６】
図６に示すように、前枠１３の左側部にはガラス扉１５が開閉可能に支持され、パチンコ遊技機１１前面から遊技盤１４が視認可能となっている。前記ガラス扉１５の右側部の裏面には上下一対のガラス扉鉤Ｇが設けられ、それらガラス扉鉤Ｇによりガラス扉１５が前枠１３に施錠されるようになっている。更に、ガラス扉１５の下方における前枠１３の左側部には、上皿扉１６が開閉可能に支持され、この上皿扉１６にはパチンコ球を貯留するための上皿が備えられている。図５に示すように、前枠１３の右側部の背面には縦長四角状の施錠装置１７が装着され、この施錠装置１７により前枠１３を外枠１２に施錠できるようになっている。なお、以下において上下左右は、パチンコ遊技機１１を前方から見た場合の上下左右を示すものとする。
【００１７】
図１に示すように、施錠装置１７は、亜鉛メッキ鋼板等から細長四角板状に形成された支持体１８によって外郭が形成されている。この支持体１８は縦長四角板状の固定板１８ａと、固定板１８ａの左側から背面方向に折り曲げ形成された側板１８ｂとを備えている。固定板１８ａの上部及び下縁部には、それぞれ第１掛止フック２０が、固定板１８ａを切り起こし、更に下方へ延びるように折り曲げて形成されている。また、固定板１８ａの長さ方向（上下方向）中央よりやや上部には、第２掛止フック２１が、固定板１８ａを切り起こし、更に上方へ延びるように折り曲げて形成されている。
【００１８】
固定板１８ａの長さ方向中央よりやや下部には錠部材としてのシリンダ錠Ｓが装着され、そのシリンダ錠Ｓには円盤状をなすピニオン２２が軸着されている。そして、シリンダ錠Ｓの先端側から鍵２３を挿入して解錠操作を行うべく鍵２３を回動させると、その鍵２３の回動方向と同一方向にピニオン２２が回動するようになっている。
【００１９】
また、前記側板１８ｂの上部及び下端には略四角板状をなす支持突部２５が形成されている。これら支持突部２５は、側板１８ｂの後端縁をそれぞれ該側板１８ｂと面一となるように背面方向へ突き出すことにより設けられている。各支持突部２５の先端部には四角板状をなす突片２６が設けられている。該突片２６の上側縁（一側部）は水平方向に延びる第１支持辺２６ａとなっている。該第１支持辺２６ａよりも基端側に位置する前記支持突部２５の上側縁には、基端側ほど支持突部２５の下側縁側から離間するように斜状をなす第２支持辺２５ａが設けられている。
【００２０】
図１及び図３（ａ）に示すように、上記構成の支持体１８において側板１８ｂの内側には、細長板状をなす外枠作動体３１が上下動可能に設けられている。また、この外枠作動体３１の上下両端部には、それぞれ細長板状をなす外枠鉤４１が連結されている。
【００２１】
まず、前記外枠作動体３１について説明する。図１に示すように、外枠作動体３１は上下方向に延びる長四角板状に形成されている。この外枠作動体３１の上下両端部にはそれぞれスライド孔３１ａが透設され、各スライド孔３１ａはそれぞれ外枠作動体３１の長さ方向に細長に延びるように形成されている。これらスライド孔３１ａのやや前方には、それぞれ外枠作動体３１の幅方向（前後方向）に延びる押圧段部３２が設けられている。外枠作動体３１の長さ方向略中央部には、下方に延びる第３掛止フック３３が右方向に折り曲げ形成されている。この第３掛止フック３３には第１コイルばねＣ１の一端（下端）が掛止されている。一方、該第１コイルばねＣ１の他端（上端）は、固定板１８ａの第２掛止フック２１に掛止されている。即ち、外枠作動体３１は、前記第１コイルばねＣ１により支持体１８に対して上方に付勢されている。
【００２２】
更に、外枠作動体３１の長さ方向中央よりやや下部は左側へ膨出するように折り曲げ形成され、その膨出部分には複数の四角孔３５からなるラック３６が設けられている。このラック３６は、複数の四角孔３５を前記外枠作動体３１の長さ方向に沿って格子状に穿設することにより形成されている。
【００２３】
上記構成の外枠作動体３１はリベットＲが前記２箇所のスライド孔３１ａを貫通して側板１８ｂにかしめ着けられることにより側板１８ｂの内側に取り付けられている。また、上下一対のリベットＲは、外枠作動体３１を側板１８ｂの内側に取り付けるとき、それぞれ外枠鉤４１の基端部を貫通して側板１８ｂにかしめ着けられるようになっている。このため、外枠作動体３１の上下両端部にはそれぞれ外枠鉤４１がリベットＲを軸に回動可能となるように連結されている。そして、外枠作動体３１は、前記スライド孔３１ａの長さ方向への長さ分だけ支持体１８に沿って上下方向にスライド可能に構成されている。
【００２４】
また、図３（ｂ）に示すように、外枠作動体３１が側板１８ｂの内側に取り付けられた状態において、前記ピニオン２２の歯の先端は四角孔３５内に入り込み、ラック３６とピニオン２２の歯とが噛合するようになっている。ここで、四角孔３５の幅（前後方向における幅）は、ピニオン２２の歯の厚みよりも僅かに大きく形成されている。即ち、四角孔３５の形成に伴って設けられるラック３６の幅も、ピニオン２２の歯の厚みよりも僅かに大きく形成されている。
【００２５】
次に、外枠鉤４１について説明する。図１に示すように、前記一対の外枠鉤４１は、前後方向に延びる長四角板状に形成されており、その基端部がリベットＲにより側板１８ｂに軸支されている。これにより、各外枠鉤４１は、それぞれ一対の支持突部２５の内側面に沿って延びるように配置されている。そして、各外枠鉤４１は、前記リベットＲを回動中心として水平状態からその先端部が下がる方向に回動可能に支持されている（図４参照）。
【００２６】
図１に示すように、各外枠鉤４１の基端上部には第４掛止フック４２が右方向に折り曲げ形成されている。各第４掛止フック４２には、それぞれ第２コイルばねＣ２の一端（上端）が掛止されている。一方、該第２コイルばねＣ２の他端（下端）は、固定板１８ａの各第１掛止フック２０に掛止されている。即ち、各外枠鉤４１の先端部は、第２コイルばねＣ２により外枠係合金具Ｋに近づく方向（上方）に付勢されている（図４参照）。
【００２７】
各外枠鉤４１の基端下部には四角板状をなす当接片４３が右方向に延びるように折り曲げ形成されている。図４（ｂ）に示すように、各当接片４３は、外枠作動体３１が上方へスライド移動したとき、その押圧段部３２により下方から上方に向かって押圧され、その押圧により外枠鉤４１の先端部が前記リベットＲを軸として下方へ回動するようになっている。
【００２８】
更に、図１に示すように、各外枠鉤４１の略中央部上縁には、四角板状をなす回動規制片４４が左方向に延びるように折り曲げ形成されている。図３（ｂ）に示すように、外枠鉤４１が支持体１８に取り付けられた状態において、各回動規制片４４は、第２コイルばねＣ２の付勢力によりその一側面（前面）が側板１８ｂの後側縁と当接するように構成されている。そして、回動規制片４４と側板１８ｂの後側縁との当接により各外枠鉤４１の必要以上の回動が規制されるようになっている。この回動規制片４４の上縁コーナ部には、面取りされた円弧面４４ａが設けられている（図２（ｂ）参照）。この円弧面４４ａは、先端側ほど下方に位置するように形成されているうえ、中央部が滑らかに湾曲するように形成されており、不正防止に役立っている。
【００２９】
図１及び図２（ａ）に示すように、前記回動規制片４４の下方、即ち各外枠鉤４１の上側縁略中央部には、上側に開口（上方に向かって開口）する側面略Ｕ字状に形成された係合凹所４５が設けられている。この係合凹所４５は、外枠鉤４１の先端側に位置し上下方向に延びる係止辺４５ａと、外枠鉤４１の基端側に位置し前側上方から後側下方へと延びる側辺としての傾斜辺４５ｂと、それら係止辺４５ａ及び傾斜辺４５ｂ間に位置する内奥辺４５ｃとを備えている。前記内奥辺４５ｃは、外枠鉤４１の下端部（底部）に位置するとともに、水平方向（前後方向）に延設されている。図４（ａ）に示すように、係合凹所４５は、前記係止辺４５ａが前記外枠係合金具Ｋの一端部（下端部）片面に係合するように構成されており、この状態において前枠１３の開放が規制されるようになっている。
【００３０】
図２（ａ）に示すように、前記係合凹所４５よりも先端側に位置する外枠鉤４１の上側縁には、先端側ほど下側縁側に近接するように形成された斜辺４６が設けられている。この斜辺４６は、係合凹所４５の係止辺４５ａ上端部と外枠鉤４１の先端とを繋ぐように設けられているうえ、中央部が上方へ膨らむように湾曲した滑らかな側面円弧状に形成されている。
【００３１】
なお、図４（ａ）に示すように、外枠鉤４１の係合凹所４５と外枠係合金具Ｋとが係合しているときの外枠鉤４１の傾動位置を当該外枠鉤４１の施錠位置と称す。一方、図４（ｂ）に示すように、前記係合凹所４５の係止辺４５ａの上端が外枠係合金具Ｋの下端よりも下方に変位し、係合凹所４５と外枠係合金具Ｋとの係合が解除されて前枠１３の開放が許容されるときの外枠鉤４１の傾動位置を当該外枠鉤４１の解錠位置と称す。
【００３２】
図４（ａ）に示すように、外枠鉤４１を前記施錠位置に配置させたとき、前記支持突部２５の先端面は係合凹所４５の係止辺４５ａよりも後方（先端側）に配置されている。更に、支持突部２５の第１支持辺２６ａは係合凹所４５の内奥辺４５ｃに沿う形状とされ、該内奥辺４５ｃよりも上方に配置されるとともに、外枠係合金具Ｋの下端よりも下方に配置されている。即ち、前記第１支持辺２６ａは、外枠係合金具Ｋに干渉しない範囲内で前記施錠位置に配置される係合凹所４５の内奥辺４５ｃと前記外枠係合金具Ｋの下端との中間に配置されている。このとき、前記内奥辺４５ｃは、側方（左方）から見たとき、その全体が支持突部２５の先端部上縁（第１支持辺２６ａ）により隠蔽されるようになっている。
【００３３】
また、支持突部２５の第２支持辺２５ａと、前記係合凹所４５の傾斜辺４５ｂとの位置関係についても全く同様である。即ち、支持突部２５の第２支持辺２５ａは、前記施錠位置に配置される係合凹所４５の傾斜辺４５ｂに沿う形状とされ、且つ外枠係合金具Ｋに干渉しない範囲内で係合凹所４５の傾斜辺４５ｂよりも僅かに上方に配置されている。このとき、前記傾斜辺４５ｂは、側方（左方）から見たとき、その全体が支持突部２５の基端部上縁（第２支持辺２５ａ）により隠蔽されるようになっている。
【００３４】
次に、前記施錠装置１７の作用について以下に説明する。
まず、外枠１２に対する前枠１３の施錠について説明する。施錠装置１７を備えた前枠１３を閉止方向へ回動させると、一対の外枠係合金具Ｋと各外枠鉤４１の先端部（斜辺４６）との当接により、外枠鉤４１の先端部がそれぞれ第２コイルばねＣ２の付勢力に抗して押し下げられるとともに、各第２コイルばねＣ２が伸長される。そして、前記一対の外枠係合金具Ｋが各係合凹所４５の上側に位置すると、外枠係合金具Ｋによる外枠鉤４１の先端部の押し下げが解除される。これに伴って、伸長した第２コイルばねＣ２の原位置への復帰により、各外枠鉤４１の先端部が上方へ引張られる。すると、図４（ａ）に示すように、各外枠鉤４１の係合凹所４５が外枠係合金具Ｋに係合して前枠１３が外枠１２に施錠される。
【００３５】
このように前枠１３が外枠１２に施錠された状態では、以下のような不正行為が防止される。逆Ｊ字状に折り曲げられ、先端部にフックを有する針金５１（同図二点鎖線）を用いて不正行為を行う場合、まず、針金５１のフックを係合凹所４５の内奥辺４５ｃに引っ掛けて外枠鉤４１を直接的に操作して不正に傾動させようとする。このとき、針金５１のフックは前記内奥辺４５ｃよりも先に、係合凹所４５の側方に位置する支持突部２５の第１支持辺２６ａ及び第２支持辺２５ａに引っ掛かる。この支持突部２５は支持体１８に一体で設けられているため、針金５１により何ら操作することができないようになっている。即ち、支持突部２５は針金５１の操作によって確実に動かないものとなっている。その結果、前記外枠鉤４１を不正行為によって傾動させて前枠１３を解錠する行為が防止される。
【００３６】
また、前記針金５１のフックを外枠鉤４１の先端部上側縁（斜辺４６）に引っ掛けて外枠鉤４１を直接的に操作して不正に傾動させようとするとき、針金５１のフックは滑らかに膨らむ斜辺４６上を滑るため引っ掛かることがない。即ち、この斜辺４６は、針金５１の引張り方向（下方）とは逆方向に膨らむ構成とされているため、針金５１を下方へ引っ張った場合にはフックが斜辺４６に引っ掛かることなく最終的に下方へ滑落してしまう。更には、斜辺４６の接線に対して垂直に針金５１のフックを引っ掛けた場合には外枠鉤４１の不正傾動が可能であると考えられるが、斜辺４６の接線は連続的に変化している。その結果、針金５１を使用した不正行為による外枠鉤４１の傾動が防止される。
【００３７】
同様に、前記針金５１のフックを回動規制片４４の円弧面４４ａに引っ掛けて外枠鉤４１を直接的に操作して不正に傾動させようとするとき、針金５１のフックは滑らかに湾曲する円弧面４４ａに当接する。このとき、前記針金５１は円弧面４４ａに対し係止されることなく下方へ滑落してしまい、その結果、針金５１を使用した不正行為が防止される。
【００３８】
一方、不正行為によって外枠作動体３１を直接的に操作して引き上げようとする場合には、ピニオン２２の歯とラック３６とが噛合しているため、外枠作動体３１が直接的に引き上げられることはない。
【００３９】
次に、前枠１３が外枠１２に施錠されている状態から前枠１３を解錠するには、まずシリンダ錠Ｓに鍵２３を差し込み、その鍵２３を前枠１３の解錠方向に回動させる。すると、ピニオン２２が回動され、その回動がラック３６に速やかに伝達され、外枠作動体３１が引き上げられる。その結果、図４（ｂ）に示すように、各押圧段部３２により当接片４３が上方へ押されて、各外枠鉤４１がそれぞれ第２コイルばねＣ２の付勢力に抗して回動し、各外枠鉤４１の先端部が下方へ移動するとともに、各第２コイルばねＣ２が伸長される。これに伴って、各外枠鉤４１の係合凹所４５と外枠係合金具Ｋとの間の係合が解除され、外枠１２から前枠１３が解錠される。
【００４０】
前枠１３の解錠後、鍵２３の回動作業を解除すると、伸長した第２コイルばねＣ２が原位置へと復帰する付勢力が働き、外枠鉤４１の先端部が上方へ移動する方向に引っ張られて回動される。このとき、各外枠鉤４１の回動規制片４４が支持体１８の側板１８ｂの側縁（後端縁）に当接され、外枠鉤４１が適正な位置（施錠位置）に配置される。またこのとき、外枠作動体３１の押圧段部３２には外枠鉤４１の当接片４３により下方への外力が付与される。その結果、外枠作動体３１は下方へ移動し、該外枠作動体３１及び外枠鉤４１が解錠前の状態に戻る。
【００４１】
上記第１の実施形態によって発揮される効果について、以下に記載する。
・  支持体１８の上下部には支持突部２５が一体で設けられ、その第１支持辺２６ａは施錠位置に配置される係合凹所４５の内奥辺４５ｃと前記外枠係合金具Ｋとの中間に配置されている。そのため、前記内奥辺４５ｃの上方から当該内奥辺４５ｃに向けて挿入された針金５１のフックは、内奥辺４５ｃに到達する前に支持突部２５の第１支持辺２６ａに引っ掛かる。この状態では、針金５１を介して外枠鉤４１に外力を付与することができない。従って、針金５１を使用した不正行為により外枠鉤４１を傾動させることができず、その結果、前枠１３の不正解錠を防ぐことができる。またこのとき、鍵２３を使わずに作動体を直接移動させて、外枠鉤４１を不正に傾動させようとする行為を防止するためにロック体を別途設ける必要がなく、構成を簡易化することができる。
【００４２】
・  各外枠鉤４１と外枠作動体３１とをそれぞれ分割して構成するとともに、外枠作動体３１のスライドに伴って各外枠鉤４１がそれぞれ単独で下方向に傾動するようになっている。即ち、本実施形態では、一方の外枠鉤４１を直接傾動させても、他方の外枠鉤４１は同時に傾動しない構成とされている。このため、前枠１３を不正に解錠しようとする場合には、２つの外枠鉤４１の傾動操作が別途必要になる。従って、単独で傾動する一対の外枠鉤４１により２重ロック方式が採用されており、前枠１３の不正解錠をより効果的に防ぐことができる。
【００４３】
・  外枠鉤４１の先端部上側縁には、中央部が上方へ膨らむ側面円弧状をなす斜辺４６が設けられている。そのため、前枠１３の不正解錠を行うに際して、針金５１のフックを前記斜辺４６に引っ掛けて引き下げる場合には、斜辺４６と針金５１との間に摩擦力がほとんど発生しない。その結果、針金５１のフックが斜辺４６に滑らかに案内され、最終的に外枠鉤４１の先端から確実に滑り落ちる。即ち、外枠鉤４１の斜辺４６に対して針金５１を用いて下方への外力を付与することが困難となるため、外枠鉤４１の不正傾動が効果的に抑制される。また、前枠１３の閉止方向への回動に際して外枠係合金具Ｋと各外枠鉤４１の先端部とが当接する場合、外枠鉤４１の先端部は斜辺４６に案内されて速やかに下方へ傾動する。そのため、外枠１２への前枠１３の閉止操作を容易に行うことができる。
【００４４】
・  支持突部２５の第２支持辺２５ａは、係合凹所４５の内奥辺４５ｃと第１支持辺２６ａとの間の位置関係と全く同様に、施錠位置に配置された係合凹所４５の傾斜辺４５ｂを側方から覆うように形成されている。即ち、支持突部２５は、第１支持辺２６ａ及び第２支持辺２５ａを含む上側縁全体が外枠鉤４１の不正回動操作を防止し得る形状に形成されている。従って、針金５１を使用した不正行為に対して、前枠１３の不正解錠を極めて効果的に防ぐことができる。
【００４５】
・  外枠鉤４１の上側縁には回動規制片４４が設けられ、その先端上縁部には円弧面４４ａが設けられている。そして、第２コイルばねＣ２の付勢力に基づく外枠鉤４１の必要以上の回動が、前記回動規制片４４と側板１８ｂの後端縁との当接により規制されるようになっている。これら両者の当接を確実なものとするため、回動規制片４４の先端部は支持体１８の側板１８ｂ端縁の側方（左方）に突き出るように構成される。そして、前枠１３が外枠１２に施錠された状態で、鍵２３を使用せず、回動規制片４４の上縁に針金５１のフックを引っ掛けて外枠鉤４１を下方へ傾動させようとしても針金５１のフックが円弧面４４ａに沿って下方へ滑り落ちる。従って、回動規制片４４に対して針金５１を介して外力を付与することが困難となるため、外枠鉤４１の不正傾動を抑制することができる。
【００４６】
・  外枠作動体３１は、そのラック３６がピニオン２２の複数の歯に係合した状態で支持体１８に設けられている。そのため、ピニオン２２を回動させたとき、ピニオン２２の歯がラック３６に速やかに噛合して外枠作動体３１を速やかかつ確実にスライド移動させることができる。従って、外枠作動体３１に連結された一対の外枠鉤４１を、鍵２３の操作により速やか且つ確実に作動させて前枠１３の解錠作業を容易に行うことができる。
【００４７】
・  両外枠鉤４１は外枠作動体３１に直接的に連結されている。そのため、鍵２３による前枠１３の解錠操作は外枠作動体３１から外枠鉤４１に直接的に伝達され、外枠鉤４１を速やかに作動させることが可能となっている。即ち、前枠１３の解錠を速やかに行うことができる。
【００４８】
・  ピニオン２２の歯の先端は、四角孔３５内に挿入された状態でラック３６に噛合するようになっている。更に、このラック３６を構成する四角孔３５の幅はピニオン２２の歯の厚みよりも大きく形成されている。このため、外枠作動体３１がスライドするとき、該外枠作動体３１がピニオン２２の厚み方向に若干移動しても、ピニオン２２の歯の先端が四角孔３５内に連続的に配置され、同ピニオン２２の歯とラック３６とが噛合した状態を維持することが可能となっている。これにより、外枠作動体３１を確実に作動させることができる。
【００４９】
（第２実施形態）
次に、第２実施形態を上記第１実施形態と異なる点を中心に説明する。図７（ａ）、（ｂ）に示すように、本第２実施形態は、上記係合凹所４５の内奥辺４５ｃに対する支持突部２５の第１支持辺２６ａの相対位置が第１実施形態と異なるものとなっている。
【００５０】
即ち、図７（ａ）に示すように、第２実施形態の係合凹所４５の内奥辺４５ｃは、外枠鉤４１を前記施錠位置に配置したとき、前記支持突部２５の第１支持辺２６ａと外枠係合金具Ｋの下端との間に配置されている。更に、本実施形態のパチンコ遊技機１１では、前記施錠位置に配置される係合凹所４５の内奥辺４５ｃと前記支持突部２５の第１支持辺２６ａとの上下方向における間隔ｐは、係合凹所４５の係止辺４５ａと前記外枠係合金具Ｋ下端部後面との間の当接部位の上下方向における長さｑよりも小さくなっている。このとき、図７（ｂ）に示すように、針金５１により外枠鉤４１を不正に傾動させたとしても係合凹所４５と外枠係合金具Ｋとの係合が解除されないようになっている。
【００５１】
ここで、前記長さｑと前記間隔ｐとの差は、好ましくは１．５〜４ｍｍ、特に好ましくは２〜３ｍｍとなっている。前記差が１．５ｍｍ未満では、外枠鉤４１先端部が下方へ回動したとき（前記内奥辺４５ｃがｐだけ下方へ変位したとき）、係合凹所４５と外枠係合金具Ｋとの係合が解除される可能性があり、前枠１３の不正解錠がなされるおそれがある。一方、前記差が４ｍｍを越えると、これに伴って前記当接部位の長さも大きくなる。その結果、係合凹所４５と外枠係合金具Ｋとの係合を解除する際の外枠鉤４１先端部の回動距離が増し、前記外枠作動体３１を移動させるために大きな力が必要となり、前枠１３の解錠操作に手間がかかるおそれがある。
【００５２】
さて、前枠１３が外枠１２に施錠された状態のパチンコ遊技機１１において、図７（ｂ）に示すように針金５１を用いて不正行為を行う場合には、まず、針金５１のフックを係合凹所４５の内奥辺４５ｃに引っ掛けて外枠鉤４１を直接的に操作して引き下げる。このとき、外枠鉤４１の先端部は、まず下方へと僅かに回動する。そして、外枠鉤４１先端部が所定間隔ｐだけ下方へ傾動したとき、係合凹所４５の内奥辺４５ｃは支持突部２５の第１支持辺２６ａとほぼ同一高さに配置される。すると、針金５１のフックが支持突部２５の第１支持辺２６ａに引っ掛かり、これ以上の外枠鉤４１の傾動操作が規制される。
【００５３】
このとき、外枠鉤４１の傾動に伴って係合凹所４５の係止辺４５ａも所定間隔ｐだけ下方に変位する。即ち、針金５１のフックが支持突部２５の第１支持辺２６ａに引っ掛かり、外枠鉤４１の傾動操作が規制されるとき、係合凹所４５の係止辺４５ａ上端部は外枠係合金具Ｋの下端よりも上方に位置している。この状態において、前枠１３を開放しようとしても最終的に係合凹所４５の係止辺４５ａ上端部が外枠係合金具Ｋに係合し、その結果、前枠１３の開放が阻止される。従って、本実施形態においては外枠鉤４１の僅かな傾動は生じるが、最終的には上記第１実施形態と同様に前枠１３の不正解錠を防止することができる。
【００５４】
なお、上記実施形態は、次のように変更して具体化することも可能である。
・  前記支持突部２５の第１支持辺２６ａを、前記施錠位置に配置される係合凹所４５の内奥辺４５ｃと同一高さ（同一平面上）に設ける構成としてもよい。
【００５５】
・  図８（ａ）に示すように、斜辺４６の形状を上方へ湾曲させることなく直線状に形成してもよい。
・  支持突部２５の第２支持辺２５ａ全体を、前記施錠位置に配置される係合凹所４５の傾斜辺４５ｂと同一高さ（同一平面上）に設ける構成としてもよい。
【００５６】
・  図８（ａ）に示すように、支持突部２５の第２支持辺２５ａ全体を、係合凹所４５の傾斜辺４５ｂよりも下方に配置してもよい。この場合、第２支持辺２５ａと傾斜辺４５ｂとの上下方向の間隔は、係合凹所４５の係止辺４５ａと前記外枠係合金具Ｋ下端部後面との間の当接部位の長さｑよりも小さく設定される。
【００５７】
・  図８（ｂ）に示すように、支持突部２５の第２支持辺２５ａと第１支持辺２６ａとを面一にする構成を採用してもよい。即ち、支持突部２５の上側縁全体が水平方向に延びる第１支持辺２６ａとなる。この第１支持辺２６ａは、前記外枠係合金具Ｋに干渉しない程度に内奥辺４５ｃよりも上方に配置するのが好ましい。更にこの場合、係合凹所４５の傾斜辺４５ｂを、鉛直方向に沿うように構成するのが好ましい。このとき、係合凹所４５の傾斜辺４５ｂに針金５１のフックを引っ掛けることができない構成とされ、外枠鉤４１の不正傾動が効果的に防止される。
【００５８】
また図８（ｃ）に示すように、支持突部２５の上側縁全体（第１支持辺２６ａ全体）を、前記係合凹所４５の内奥辺４５ｃよりも下方に配置するように構成してもよい。この場合、第１支持辺２６ａと内奥辺４５ｃとの上下方向の間隔は、係合凹所４５の係止辺４５ａと外枠係合金具Ｋとの間の当接部位の長さｑよりも小さく設定される。
【００５９】
・  外枠係合金具Ｋの上方から外枠鉤４１の係合凹所４５が係合する構成を採用してもよい。即ち、上記施錠装置１７を上下逆にして前枠１３に組み付けた構成である。この場合、係合凹所４５は外枠鉤４１の下側縁へ開口するように形成される。なお、上記斜辺４６は外枠鉤４１の先端部下側縁に設けられる。また、該斜辺４６を、中央部が下方へ膨らむ滑らかな側面円弧状に形成するのが好ましい。
【００６０】
・  各実施形態では、両外枠鉤４１をそれぞれ外枠作動体３１に対して独立して設けるようにしたが、図９（ａ）に示すように、両外枠鉤４１を外枠作動体３１に一体で設ける構成にしてもよい。
【００６１】
また、図９（ｂ）に示すように、各外枠鉤４１と外枠作動体３１とをそれぞれ分割して構成するとともに、外枠作動体３１のスライドに伴って各外枠鉤４１がそれぞれ単独で矢印方向にスライドするような構成を採用してもよい。この場合、一方の外枠鉤４１を直接スライドさせても、他方の外枠鉤４１は同時にスライドしない構成となっている。
【００６２】
更に、図９（ｃ）に示すように、各外枠鉤４１と外枠作動体３１とをそれぞれ分割して構成するとともに、外枠作動体３１のスライドに伴って各外枠鉤４１が一体となって矢印方向に傾動するような構成を採用してもよい。この場合、一方の外枠鉤４１を直接傾動させると、他方の外枠鉤４１は同時に傾動する構成となっている。
【００６３】
・  各実施形態の施錠装置１７に、ガラス扉１５を前枠１３に施錠するための機構を設けてもよい。この場合、前記側板１８ｂの内側には長四角板状のガラス扉作動体が上下動可能に設けられる。該ガラス扉作動体の上下端には、それぞれ側面横コ字状のガラス扉鉤が設けられ、各ガラス扉鉤は施錠装置１７の前面側に突出するように配置される。そして、各ガラス扉鉤の上側縁に開口する係合凹所がガラス扉１５のガラス扉係合金具に係脱することによって、前枠１３に対してガラス扉１５が施錠及び解錠される。
【００６４】
・  各実施形態の施錠装置１７を用いて、図１０に示すパチスロ遊技機６１の本体６２（外枠）に上部前扉６３（前枠）及び下部前扉６４（前枠）を別途施錠する構成を採用してもよい。また、各実施形態の施錠装置１７をアレンジボール機等の他の遊技機に使用してもよい。
【００６５】
更に、前記実施形態より把握できる技術的思想について以下に記載する。
・  前記支持突部の一側部の先端部には第１支持辺が設けられ、且つ前記支持突部の一側部の基端部には第２支持辺が設けられ、
前記第１支持辺は、前記施錠位置に配置される係合凹所の内奥辺と同一方向に延びるように形成されるとともに、
前記第２支持辺は、前記施錠位置に配置される係合凹所の内奥辺よりも基端側に位置する側辺と同一方向に延びるように形成されていることを特徴とする請求項１から請求項６のいずれか一項に記載の遊技機における施錠装置。
【００６６】
・  前記支持突部の一側部は、前記施錠位置に配置される係合凹所の内奥辺と同一高さに位置するように配置されていることを特徴とする請求項１又は請求項２に記載の遊技機における施錠装置。
【００６７】
・  前記支持突部の一側部全体は、前記施錠位置に配置される外枠鉤の一側部よりも前記係合部寄りに配置されている請求項１又は請求項２に記載の遊技機における施錠装置。
【図面の簡単な説明】
【００６８】
【図１】第１実施形態の施錠装置を構成する部材を示す分解斜視図。
【図２】（ａ）は第１実施形態の外枠鉤を示す側面図、（ｂ）は同外枠鉤を示す背面図。
【図３】（ａ）は第１実施形態の施錠位置に配置された施錠装置を示す側面図、（ｂ）は第１実施形態の施錠装置を示す部分斜視図。
【図４】（ａ）は第１実施形態の施錠位置に配置された施錠装置を示す部分拡大側面図、（ｂ）は第１実施形態の解錠位置に配置された施錠装置を示す部分拡大側面図。
【図５】第１実施形態のパチンコ遊技機を示す斜視図。
【図６】第１実施形態のパチンコ遊技機を示す斜視図。
【図７】（ａ）は第２実施形態の施錠位置に配置された施錠装置を示す部分拡大側面図、（ｂ）は第２実施形態の解錠位置に配置された施錠装置を示す部分拡大側面図。
【図８】（ａ）〜（ｅ）は両実施形態以外の支持突部を示す部分拡大側面図。
【図９】（ａ）〜（ｃ）は両実施形態以外の施錠装置を示す部分側面図。
【図１０】両実施形態以外の遊技機を示す斜視図。
【符号の説明】
【００６９】
１１…前枠、…外枠、１７…施錠装置、１８…支持体、２５…支持突部、２６ａ…第１支持辺（一側部）、２５ａ…第２支持辺（一側部）、３１…作動体としての外枠作動体、４１…外枠鉤、４５…係合凹所、４５ｃ…内奥辺、４６…斜辺、Ｓ…錠部材としてのシリンダ錠、Ｋ…係合部としての外枠係合金具、ｐ…間隔、ｑ…当接部位の長さ、６２…外枠としての本体、６３…前枠としての上部前扉、６４…前枠としての下部前扉。
【図１】
2005207150.tif 000003
【図２】
2005207150.tif 000004
【図３】
2005207150.tif 000005
【図４】
2005207150.tif 000006
【図５】
2005207150.tif 000007
【図６】
2005207150.tif 000008
【図７】
2005207150.tif 000009
【図８】
2005207150.tif 000010
【図９】
2005207150.tif 000011
【図１０】
2005207150.tif 000012